(57)【要約】【課題】本発明は、耐久性、蓄光性、残光性、デザイン性及び量産性に優れた実用的な蓄光式誘導表示体を提供することを目的とする。【解決手段】本発明に係る蓄光式誘導表示体Ａは、基板４と、誘導標識を表示した蓄光シート１と、蓄光シート１の上面をカバーするガラス板５と、蓄光シート１と基板４とを接着する第１接着膜２と、蓄光シート１とガラス板５とを接着する第２接着膜３とを有する。そして、第２接着膜３を、紫外線吸収材を含まない紫外線透過性の良好なものとする。また、基板４、第１接着膜２、蓄光シート１、第２接着膜３、ガラス板５を下から上へ順次積層した積層構造として形成する。【選択図】図１
2007200036.tif 000002
【特許請求の範囲】
【請求項１】
基板と、誘導標識を表示した蓄光シートと、蓄光シートの上面をカバーするガラス板と、蓄光シートと基板とを接着する第１接着膜と、蓄光シートとガラス板とを接着する第２接着膜とを有し、第２接着膜を、紫外線吸収材を含まない紫外線透過性の良好なものとするとともに、基板、第１接着膜、蓄光シート、第２接着膜、ガラス板を下から上へ順次積層した積層構造を成すことを特徴とする蓄光式誘導表示体。
【請求項２】
蓄光シートの上面をカバーするガラス板は、紫外線吸収材を含まない紫外線透過性の良好な高透過ガラスであることを特徴とする請求項１記載の蓄光式誘導表示体。
【請求項３】
蓄光シートの上面をカバーするガラス板は、表面に滑り止め加工が施されていることを特徴とする請求項１または２記載の蓄光式誘導表示体。
【請求項４】
蓄光シートの上面をカバーするガラス板は、表面にエンボス加工が施された型ガラスであることを特徴とする請求項１または２記載の蓄光式誘導表示体。
【発明の詳細な説明】
【技術分野】
【０００１】
本発明は、蓄光表示体に関し、詳しくは、ビルディング、地下街、地下鉄駅構内などの建造物内あるいは屋外において、火災による煙で視界が遮られる事態や、不意の停電による非常事態などの場合に、居住者や歩行者を安全な場所あるいは所定の場所に誘導するために用いる蓄光式誘導表示体に関するものである。
【背景技術】
【０００２】
ビルディング、地下街、地下鉄駅構内などの建造物内或いは屋外において火災時に歩行者や居住者を安全な場所に避難誘導するために、避難方向の明示、避難口の明示、消火器の設置場所の表示などの蓄光式誘導表示体が設置されている。また、道路や広場等の屋外においても、不意の停電により街路灯が消えた場合に通行人を安全に誘導するために蓄光式誘導表示体が設置されるようになってきている。これら蓄光式誘導表示体の設置場所としては、屋外では路面が最適であり、また、建造物内においても、火災の場合に煙が天井を這うように拡がることに鑑み、壁の下方位置に設置される他、床に設置されることが多くなってきている。
【０００３】
このように床や路面に設置することが可能な従来の蓄光式誘導表示体としては、例えば、特許文献１記載の誘導表示プレートがある。この誘導表示プレートは、平板状の透明又は半透明の透光性を有するプラスチック材の底面に凹部を形成し、この凹部に蓄光性塗料を用いて誘導標識を表したシール又は表示板を配置するものである。なお、この誘導表示プレートは、タイルカーペットに窓孔を形成し、この窓孔に収納設置して使用される。
【０００４】
また、従来の蓄光式誘導表示体の他の例として、特許文献２記載の避難誘導表示装置がある。この避難誘導表示装置は、塩ビタイルや石張りのフロアーにおいては、蓄光材をフロアーに塗布し、表面に透明の塩化ビニール膜を貼ったものであり、階段においては滑り止め器具の溝に沿って蓄光材を塗布したものである。
【０００５】
また、従来の蓄光式誘導表示体の他の例として、特許文献３記載の蓄光表示体がある。この蓄光表示体は基材の凹部に蓄光標章部を埋め込んだものである。この場合において、蓄光標章部は、蓄光材を混有した合成樹脂又はセメント硬化物により形成されている。また、基材はコンクリートブロックなどからなり、その表面に形成される凹部は、標章を型取って形成されている。
【０００６】
また、従来の蓄光式誘導表示体の更なる他の例として、特許文献４記載の蓄光安全標識板がある。この蓄光安全標識板は、磁器製タイルからなる基板上に蓄光層を形成し、蓄光層の表面を無鉛ガラス層で被覆したものである。この場合において、蓄光層は、磁器製タイルからなる基板上に絵具をスクリーン印刷して図形、記号等の標識パターンを形成し、余白に蓄光含有ペーストをスクリーン印刷し形成されている。また、無鉛ガラス層は、蓄光層の表面に無鉛ガラスペーストをスクリーン印刷し、次いで高温酸化雰囲気下で焼成して形成されている。
【特許文献１】特開平８−３１２１０８号公報、段落番号０００８〜００１２
【特許文献２】特開平９−１０８３６８号公報、段落番号００１４〜００１６
【特許文献３】特開平１０−２０８１５５号公報、段落番号０００８〜００１６
【特許文献４】特開平１０−２７３６５７号公報、段落番号００３９〜００４４、図２、図５
【発明の開示】
【発明が解決しようとする課題】
【０００７】
特許文献１に記載の誘導表示プレートは、プラスチック材の紫外線透過率が低いため蓄光性能が低い、また、プラスチック材の表面に傷が付き易い、プラスチックは経年変化が大きく耐久性に劣るなどの問題を有していた。
【０００８】
また、特許文献２記載の避難誘導表示装置は、蓄光材が表面に露出したものや、塩化ビニール膜を貼った簡易なものであり、耐久性に問題があり未完成のものである。
また、特許文献３記載の蓄光表示体は、標章を型取って形成された基材表面の凹部に、蓄光材が混有された合成樹脂又はセメント硬化物を埋め込んだものであるため、量産性を欠くとともに、デザイン性に劣るものであった。
【０００９】
また、特許文献４記載の蓄光安全標識板は、無鉛ガラス層の紫外線透過性能が低く蓄光性能が低くなり残光性能に問題を残していた。また、製作手順が複雑でありコストが高くなるという問題があった。
【００１０】
以上の如く、蓄光式誘導表示体に類するものは従来種々開発されているが、耐久性、蓄光性、残光性、デザイン性及び量産性などの点から見て完成の域に達しているものは未だ開発されていなかった。
【００１１】
本発明は、従来技術に存在するこのような問題点に着目してなされたものであって、耐久性、蓄光性、残光性、デザイン性及び量産性に優れた実用的な蓄光式誘導表示体を提供することを目的とする。
【課題を解決するための手段】
【００１２】
本発明に係る蓄光式誘導表示体は、基板と、誘導標識を表示した蓄光シートと、蓄光シートの上面をカバーするガラス板と、蓄光シートと基板とを接着する第１接着膜と、蓄光シートとガラス板とを接着する第２接着膜とを有する。そして、第２接着膜を、紫外線吸収材を含まない紫外線透過性の良好なものとするとともに、基板、第１接着膜、蓄光シート、第２接着膜、ガラス板を下から上へ順次積層した積層構造を成すことを特徴とする。
【００１３】
上述の如く構成された蓄光式誘導表示体によれば、誘導標識を表示する蓄光シートを基板とガラス板とで挟んだ積層構造としているので、蓄光シートの耐久性が良好となる。また、蓄光シートをカバーする上層部材がガラス板であるので、紫外線の透過性が大きくなり、輝度及び残光性が大きくなるとともに、表面素材の耐久性が向上し、さらに、デザイン性に優れたものを提供することができる。また、蓄光シートをカバーするガラス板を接着する第２接着膜として、紫外線吸収材を含まない紫外線透過性の良好な接着膜が使用されているので、蓄光シートの吸収する紫外線エネルギーが大きくなる。この結果、蓄光エネルギーが大きくなり残光性及び輝度が大きくなる。また、全体構造が接着膜を使った積層構造に形成されているので、量産性に優れたものとすることができる。
【００１４】
また、この構成において、蓄光シートの上面をカバーするガラス板を、紫外線吸収材を含まない紫外線透過性の良好な高透過ガラスとすることが好ましい。このようにすると、ガラス板を通過する紫外線エネルギーがより増加し、蓄光式誘導表示体の残光性及び輝度がより大きくなる。
【００１５】
また、上記構成において、蓄光シートの上面をカバーするガラス板を、表面に滑り止め加工が施されたものとすることもできる。このように構成すると、床に埋め込んで使用する場合に避難者や歩行者の転倒を防止することができ、床、路面など用に好適なものとすることができる。なお、この場合の滑り止め加工としては、耐摩耗性を有する高硬度粒子を融着したものなど適宜のものでよい。
【００１６】
また、上記構成において、蓄光シートの上面をカバーするガラス板を、表面にエンボス加工が施された型ガラスとすることもできる。このように構成すると、エンボス加工により床、路面などに利用した場合に避難者や歩行者の転倒を防止することができる。また、エンボス加工は見栄えも良好であるので、壁用及び床用に好適な蓄光式誘導表示体を提供することができる。さらに、エンボス加工の場合は、粒子を融着させた場合に比し耐久性も良好なものとなる。
【発明の効果】
【００１７】
本発明に係る蓄光式誘導表示体によれば、耐久性、蓄光性、残光性、輝度、デザイン性及び量産性に優れた蓄光式誘導表示体を提供することができる。
【発明を実施するための最良の形態】
【００１８】
（実施の形態）
以下本発明の実施の形態に係る蓄光式誘導表示体について、図１〜図３に基づき説明する。なお、図１は模式断面図であり、図２は平面図であり、図３は施工例図である。
【００１９】
この実施の形態に係る蓄光式誘導表示体Ａは、火災時の避難誘導に使用されるものであって、床埋め込み酔うとしても使用できることを意図したものである。図１に示すように、蓄光式誘導表示体Ａは、蓄光シート１の両面に、第１接着膜２及び第２接着膜３を用いて基板４とガラス板５とを接着したものである。すなわち、この蓄光式誘導表示体Ａは、基板４、第１接着膜２、蓄光シート１、第２接着膜３、ガラス板５を順次下から上へ積層した積層構造を有している。
【００２０】
蓄光シート１は、ＰＥＴフィルムからなるベースシート上に蓄光剤を塗着して居住者あるいは歩行者を避難誘導する誘導標識１１を形成している。蓄光剤は、太陽光や照明器具などから照射される紫外線エネルギーを吸収し蓄えたエネルギーを、暗闇の中で自然発光することができるものである。蓄光剤の原料は、周知の金属酸化物や希土類を数種混合し、さらに、市販の展色剤を混合したものでよい。誘導標識１１の形状としては、図２に示すように、避難方向を示す矢印１１ａ、逃げる人を図案化した図形１１ｂ、文字１１ｃ等から構成される。なお、図２は、その一例を示すものであり、法令に定められた基準に従い複数種の標識形状が定められている。
【００２１】
第１接着膜２及び第２接着膜３は、合わせガラス用のものが用いられる。具体的には、ポリビニルブチラールやエチレン−酢酸ビニル共重合体加水分解物の変性体が用いられている。ただし、第２接着膜３については、紫外線の透過性を大きくすることが重要であるため、通常の合わせガラスの接着膜と異なり紫外線吸収剤を含まないものを用いる。なお、第１接着膜２については、紫外線を透過させる必要がないので、紫外線吸収剤を含む通常のものでよい。また、第１接着膜２及び第２接着膜３の厚みは、０．３〜１．０ｍｍ程度とされている。
【００２２】
蓄光シート１の下層に用いられる基板４は、床に埋め込んで使用されることを考慮し、強化ガラスが用いられている。その厚みは、基板４に作用する力により厚みを変更する必要があるが、建造物内に用いるものとしては３〜１５ｍｍ程度が好ましい。
【００２３】
蓄光シート１の上層に用いられるガラス板５は、通常の建材用等の板ガラスと異なり、紫外線の透過性を良好なものとする必要がある。また、ガラス板５は表面部材を成しているので、落下物による衝撃を考慮するのが好ましい。具体的には、鉄分を少なくした高透過性強化ガラスが用いられる。この高透過性強化ガラスは、表面に作用する力により厚みを変更する必要があるが、建造物内に用いるものとしては３〜１５ｍｍ程度が好ましい。また、このガラス板５の表面は、床用に使用される場合に、歩行者や避難者の転倒を防止するために滑り止め加工５ａが施されている。このために、この実施の形態においては、ガラス板５として表面に滑り止め加工５ａとしてエンボス加工を施した型ガラスが使用されている。
【００２４】
上記のような構成要素を備えた蓄光式誘導表示体Ａは、通常の合わせガラスの製造方法により製作することができる。例えば、まず、蓄光シート１を第１接着膜２と第２接着膜３で挟み、さらに、その両側を強化ガラスからなる基板４と高透過性強化ガラスからなるガラス板５とで挟んで、機密性容器に入れる。そして、この容器内を真空引きする。これにより、各層間の空気を排除して基板４とガラス板５との相互間を押し付ける。次いで、容器内を減圧したまま（例えば、圧力を０．１ＭＰａ〜０．５ＭＰａとする）容器ごと加熱炉に入れ、第１接着膜２及び第２接着膜３の軟化温度（１００℃〜１４０℃）以上に加熱することにより、上記の積層構造の表示体を得ることができる。
【００２５】
以上のように構成された蓄光式誘導表示体Ａは、火災時に防火対象物内にいる者を屋外に避難誘導するために使用される場合には、煙が屋内においては天井を這うように移動することに鑑み、図３の施工例図に示すように、壁Ｂの下方位置や床Ｃに埋め込んで使用される。
【００２６】
本実施の形態に係る蓄光式誘導表示体Ａによれば、次の効果を奏することができる。
（１）誘導標識１１を表示する蓄光シート１を基板４とガラス板５とで挟んだ積層構造としているので、蓄光シート１の耐久性が良好となる。また、蓄光シート１をカバーする上層部材がガラス板５であるので、紫外線の透過エネルギーが大きくなる。この結果、蓄光エネルギーが大きくなり残光性及び輝度が大きくなるとともに、表面素材の耐久性が向上し、さらに、デザイン性に優れたものを提供することができる。
【００２７】
（２）また、蓄光シート１とガラス板５とを接着する第２接着膜３として、紫外線吸収材を含まない紫外線透過性の良好な接着膜が使用されているので、蓄光シート１の吸収する紫外線エネルギーが大きくなる。この結果、蓄光エネルギーが大きくなり残光性及び輝度が大きくなる。また、全体構造が接着膜を使った積層構造に形成されているので、量産性に優れたものとすることができる。
【００２８】
（３）また、本実施の形態では、蓄光シート１の上面をカバーするガラス板５として、鉄分を少なくした紫外線透過性の良好な高透過性強化ガラスが用いられているので、ガラス板５を通過する紫外線エネルギーがより増加し、蓄光式誘導表示体Ａの残光性及び輝度がより大きくなる。また、何らかの物体が直接当る可能性のある表面素材の強度を大きくすることができる。
【００２９】
（４）また、本実施の形態では、蓄光シート１の上層および下層に強化ガラスが使用されているので、通常の合わせ板ガラスと同様に製作することができる。したがって、量産性に適した合わせ板ガラスの製造方法を容易に採り入れることができる。
【００３０】
（５）また、本実施の形態の蓄光式誘導表示体Ａは、表面部材としてのガラス板５の表面に滑り止め加工５ａが施されているので、床Ｃに埋め込んで使用する場合に避難者の転倒を防止することができる。したがって、このように床用として好適な蓄光式誘導表示体Ａを提供することができる。また、本実施の形態の蓄光式誘導表示体Ａは、ガラス板５の表面に滑り止め加工５ａを施した構成とするために、滑り止め加工５ａとしてエンボス加工が施された型ガラスを使用している。したがって、滑り止め加工５ａの耐久性に優れるとともに、デザイン性に優れたものを提供することができる。したがって、本実施の形態の蓄光式誘導表示体Ａは、壁Ｂに使用の場合の違和感を少なくすることができる。
【００３１】
（変型例）
上記のように構成された本実施の形態において、次のように変形することが可能である。
【００３２】
（１）上記実施の形態においては、基板４として強化ガラスを使用しているが、基板４は、強度があり、耐火性、ガラス板との間で良好な接着を行えるものであれば他のものとしてもよく、タイル、セラミック等を使用することができる。
【００３３】
（２）ガラス板５として高透過性強化ガラスが用いられているが、高透過性の通常強度の板ガラスとし、表面に作用する力を考慮して厚みを調節するようにしてもよい。
（３）ガラス板５表面の滑り止め加工５ａは、上記のようなエンボス加工に限定されるものではなく、ガラス板５の表面に耐摩耗性を有する高硬度粒子を融着したものでもよい。このような高硬度粒子としては、形状的には多角形のもが好ましく、粒径は５０〜５００μｍ、材質はアランダム、コランダム、炭化珪素、ザクロ石、珪砂等であるものが適している。
【００３４】
（４）上記実施の形態においては、蓄光式誘導表示体Ａは、火災時の避難誘導に使用されるものについて述べたが、本実施の形態あるいは上記変型例に係る蓄光式誘導表示体Ａは、火災の場合以外にも使用することができる。例えば、地震などにより停電が発生した場合の避難誘導にも適用することができる。また、本実施の形態の構造を有する蓄光式誘導表示体Ａは、屋内の使用に限らず屋外で使用するものに適用することもできる。例えば、道路や広場等の屋外においては、停電により街路灯が消えた場合に通行人を安全に誘導するものにも応用することもできる。なお、これらの場合は、誘導標識１１を火災の場合と異なり使用目的に応じた誘導標識に適宜変更すればよい。
【図面の簡単な説明】
【００３５】
【図１】本発明の実施の形態に係る蓄光式誘導表示体の模式断面図である。
【図２】同蓄光式誘導表示体の平面図である。
【図３】同蓄光式誘導表示体の施工例図である。
【符号の説明】
【００３６】
Ａ…蓄光式誘導表示体、１…蓄光シート、２…第１接着膜、３…第２接着膜、４…基板、５…ガラス板、５ａ…滑り止め加工、１１…誘導標識
【図１】
2007200036.tif 000003
【図２】
2007200036.tif 000004
【図３】
2007200036.tif 000005